(57)【特許請求の範囲】
【請求項１】
決定変数が選択されるミニスロットの位置を選択するミニスロット選択部、複数の決定変数を計算する決定変数計算装置、前記複数の決定変数からいずれか１つの決定変数を選択する決定変数選択部を備えた次世代移動通信システムにおける決定変数計算装置であって、
前記ミニスロット選択部から出力される情報と入力信号の相関値を計算する複数の相関値計算機を備える相関値計算部と、
前記複数の相関値計算機から各々出力される相関値を所定の観察区間において所定の閾値と比較し、前記比較結果に応じて前記複数の相関値計算機を選択的に動作させる複数の相関回路制御器を備えた相関回路制御部とを備えていることを特徴とする次世代移動通信システムにおける決定変数計算装置。
【請求項２】
前記所定の観察区間は、予め設定された各相関値計算機の全観察区間よりも小さく設定されていることを特徴とする請求項1に記載の次世代移動通信システムにおける決定変数計算装置。
【請求項３】
前記閾値は、相関値計算機を観察区間において駆動させるかまたは停止させるかを決定するために設定される値であることを特徴とする請求項1に記載の次世代移動通信システムにおける決定変数計算装置。
【請求項４】
決定変数が選択されるミニスロットの位置を選択するミニスロット選択部、複数の決定変数を計算する決定変数計算装置、前記複数の決定変数からいずれか１つの決定変数を選択する決定変数選択部を備えた次世代移動通信システムにおける決定変数計算装置であって、
前記ミニスロット選択部から出力された情報と入力信号の相関値を計算する複数の相関値計算機を備える相関値計算部と、
前記複数の相関値計算機から出力される相関値を所定の観察区間において序列化し、該序列に応じて前記複数の相関値計算機を選択的に動作させる序列判定部とを備えていることを特徴とする次世代移動通信システムにおける決定変数計算装置。
【請求項５】
前記所定の観察区間は、予め設定された各相関値計算機の全観察区間よりも小さく設定されていることを特徴とする請求項4に記載の次世代移動通信システムにおける決定変数計算装置。
【請求項６】
前記序列判定部は、前記序列化された複数の相関値のうち、上位の所定数に該当する相関値計算機のみを全観察区間において駆動させ、残りの相関値計算機は停止させるものであることを特徴とする請求項4に記載の次世代移動通信システムにおける決定変数計算装置。
【発明の詳細な説明】
【０００１】
【発明の属する技術分野】
本発明は、次世代移動通信システム(所謂「IMT-2000システム」)における決定変数計算装置に関し、特に、決定変数計算に必要な電力を低減し、高速にセル探索ができるようにした移動通信システムにおける決定変数計算装置に関する。
【０００２】
【従来の技術】
一般に、W-CDMAシステムに適用されたCPM(Continuous Phase Modulation, 連続位相変調)方式とは、基地局の区別、端末器の同期化、及び高速のセル探索のために用いられる同期信号(同期コード)の位置を各基地局別に異なる形式で変調して受信側に伝送する方式をいう。
【０００３】
このようなCPM方式を適用した順方向同期チャネルの同期コードは、変調されない256チップの長さ(1スロットは2560チップの長さである)の1個の2進コードで構成されており、スロットごとに1個ずつ伝送される。ここで、１つのフレームは、16個のスロットに分けられる。そして、各スロットは、複数のミニスロットに分けられ、ミニスロットの長さはδであり、該δは任意の正の整数であって、運用中のシステムにおいて必要に応じて変更され得るパラメーター値である。
【０００４】
なお、各ミニスロットに挿入される同期コードの位置は、現在基地局が属するロングコードグループに対応する時間ホッピングコードの各コード要素に一致する値で与えられる。ここで用いられる時間ホッピングコードの長さは、フレーム当たりのスロット数16と同じであり、各時間ホッピングコード要素のアルファベットの大きさMは、スロット内にあるミニスロットの数と同じかそれよりも小さい。
【０００５】
一方、送信側では、周知のCPM方式により同期コードの位置を変調して伝送し、受信側(CPM受信器)は、これを受信して基地局グループの情報を獲得する。
【０００６】
図1は、従来のW-CDMAシステムにおけるCPM方式のセル探索過程を示す図である。
【０００７】
まず、第1番目のステップにおいて、同期チャネルマッチドフィルタを利用してミニスロットのスタート点を探す。
【０００８】
次いで、第２番目のステップにおいて、スタート点以後、１フレームの間、ミニスロットクロック位置ごと(すなわち、δチップ長ごと)にマッチドフィルタの出力値を利用してロングコードグループ情報及び10msフレームのスタート点に対する情報を獲得する。
【０００９】
最後のステップにおいて、ロングコードのスタート点情報を利用してロングコードの種類を決定する。
【００１０】
以下に、第２番目のステップの内容をさらに詳細に説明する。
【００１１】
例えば、システムで用いられるロングコードグループの数が2であり、フレーム当たりのスロット数が4である場合を説明すれば、次の通りである。
【００１２】
0003653613.tif 000002
【００１３】
上記の例から分かるように、CPM受信器は、マッチドフィルタのスロットスタート点を基準としてコードグループシフト集合8個(2x4)に対する決定変数を計算する。決定変数は、入力コードと可能な全てのグループ情報コード間の相関値である。この場合、決定変数の値が最も大きいものが、正しいコードグループである可能性が最も高く、この情報を利用してフレームのスタート点を迅速に計算することとなる。
【００１４】
このような方式では、最大値を有するミニスロット1個に対してL(コードグループの数xフレーム当たりのスロット数)個の決定変数を計算する。選択するミニスロットの数Nは、要求される性能と使用環境に応じて決定される。
【００１５】
図2は、従来のCPM受信器の構成を示すブロック図である。
【００１６】
ミニスロット選択部10は、入力される同期チャネルから好適なミニスロットの位置を選択する。この選択された情報は、ラインL2〜L2Nを介して決定変数計算部20内の各々の決定変数計算機21〜20+Nに入力される。
【００１７】
次いで、決定変数計算部20内の各々の決定変数計算機21〜20+Nは、前記ミニスロット選択部10において選択された各々のミニスロットに対する入力とラインL0を介して入力される可能な全てのグループ情報コードの相関値を観察区間の間(T時間の間)に渡って計算する。このように各々の決定変数計算機21〜20+Nにおいて計算された結果は、決定変数計算値として決定変数選択部30に入力される。
【００１８】
前記決定変数選択部30は、入力される決定変数計算値から必要な情報のみを抽出する。
【００１９】
一般的に、前記決定変数選択部30において選択されて出力される選択情報は、最も値の大きいいくつかの情報であり、この間にも決定変数計算部20は計算を続ける。
【００２０】
しかし、このような従来のCPM受信器における決定変数計算装置は、決定変数選択部30から必要な情報を抽出した場合にも、最終決定に影響を与えない計算を持続的に行うこととなることから、必要以上に電力を消費する問題があった。
【００２１】
【発明が解決しようとする課題】
本発明は、上記した従来の決定変数計算装置で発生する問題点に鑑みてなされたものであって、決定変数計算に必要な電力を低減し、高速なセルの探索が可能な移動通信システムにおける決定変数計算装置を提供することを目的とする。
【００２２】
【課題を解決するための手段】
上記した目的を達成するために、本発明は、決定変数が選択されるミニスロットの位置を選択するミニスロット選択部、複数の決定変数を計算する決定変数計算装置、前記複数の決定変数からいずれか１つの決定変数を選択する決定変数選択部を備えた次世代移動通信システムにおける決定変数計算装置であって、前記ミニスロット選択部から出力される情報と入力信号の相関値を計算する複数の相関値計算機を備える相関値計算部と、前記複数の相関値計算機から各々出力される相関値を所定の観察区間において所定の閾値と比較し、前記比較結果に応じて前記複数の相関値計算機を選択的に動作させる複数の相関回路制御器を備えた相関回路制御部とを備えていることを特徴とする。
【００２３】
また、上記した目的を達成するために、本発明は、決定変数が選択されるミニスロットの位置を選択するミニスロット選択部、複数の決定変数を計算する決定変数計算装置、前記複数の決定変数からいずれか１つの決定変数を選択する決定変数選択部を備えた次世代移動通信システムにおける決定変数計算装置であって、前記ミニスロット選択部から出力された情報と入力信号の相関値を計算する複数の相関値計算機を備える相関値計算部と、前記複数の相関値計算機から出力される相関値を所定の観察区間において序列化し、該序列に応じて前記複数の相関値計算機を選択的に動作させる序列判定部とを備えていることを特徴とする。
【００２４】
【発明の実施の形態】
以下、本発明が属する技術分野における通常の知識を有する者が本発明の技術的思想を容易に実施できるほどに詳細に説明するため、本発明の最も好ましい実施の形態を添付した図面を参照しながら説明する。
【００２５】
以下において、本発明にかかる決定変数計算装置の実施の形態として、閾値を利用して決定変数を計算する装置、及び序列化による決定変数計算装置の２つの実施の形態について説明する。
【００２６】
（１）第１の実施の形態
図3は、本発明にかかる移動通信システムにおける決定変数計算装置の第1の実施の形態を示すブロック図である。
【００２７】
符号100は、ミニスロット選択部(図2中の符号10)において選択された情報と入力信号の相関値を計算する複数の相関値計算機101〜100+Nを備える相関値計算部を示している。
【００２８】
また、符号200は、相関値計算部100内の複数個の相関値計算機101〜100+Nから各々出力される相関値を、設定した観察区間において予め設定した閾値と各々比較し、その大小の如何に応じて複数の相関値計算機101〜100+Nを選択的に動作させる複数の相関値計算機100〜100+Nと対応する相関回路制御器201〜200+Nを備えた相関回路制御部を示している。
【００２９】
このように構成された本発明に係る第1の実施の形態においては、まず、図2のミニスロット選択部10から出力される値がラインL2〜L2Nを介して相関値計算部100内の各々の相関値計算機101〜100+Nに入力される。
【００３０】
次いで、各々の相関値計算機101〜100+Nは、各々入力された値（ラインL2〜L2N）と入力信号（L0）の相関値を計算して、図2における決定変数選択部30及び相関回路制御部200内の各々の相関回路制御器201〜200+Nに入力する。
【００３１】
これによって、相関回路制御部200内の各々の相関回路制御器201〜200+Nは、予め設定された相関値観察区間Tよりさらに小さく設定された観察区間T1において、入力された前記相関値と予め設定された閾値H1とを比較する。ここで、閾値H1は、相関値計算機101〜100+Nを前記観察区間Tにおいて駆動させるか、または停止させるかを決定するために設定される値である。
【００３２】
そして、前記比較の結果、前記観察区間T1において前記入力された相関値が前記閾値H1よりも大きい場合には、前記観察区間Tにおいて該当する相関値計算機が駆動し、逆に前記観察区間T1において前記入力された相関値が前記閾値H1よりも小さい場合には、それ以後の区間、すなわちT1区間を除いたT区間において該当する相関値計算機が停止するように相関値計算機101〜100+Nの駆動を制御する。
【００３３】
例えば、相関回路制御器201は、相関値計算機101から出力された相関値と予め設定された閾値H1とを観察区間T1において比較して、前記観察区間T1において前記入力された相関値が前記閾値H1よりも大きい場合には、前記観察区間Tにおいて相関値計算機101が駆動し、逆に前記観察区間T1において前記入力された相関値が前記閾値H1よりも小さい場合には、それ以後の区間、すなわちT1区間を除いたT区間において相関値計算機101が停止するように相関値計算機101の駆動を制御する。
【００３４】
残りの相関回路制御器202〜200+Nも、上記した相関回路制御器201と同様に動作して、対応する相関値計算機102〜100+Nをそれぞれ駆動または停止させることとなる。
【００３５】
このように、相関値計算機101〜100+Nの駆動を閾値に応じて選択的に制御することによって、予め設定された閾値よりも大きい決定変数を出力する相関値計算機のみが観察区間Tにおいて動作し、予め設定された閾値よりも小さい決定変数を出力する相関値計算機は観察区間T1においてのみ駆動した後、その他の区間、すなわち（T-T1）の区間においては停止することから、観察区間Tにおいて連続的に動作する場合と比較して消費電力を低減し得ることとる。
【００３６】
（２）第２の実施の形態
図4は、本発明にかかる決定変数計算装置の第2の実施の形態を示すブロック図である。
【００３７】
ここで、符号300は、ミニスロット選択部(図2中の符号10)において選択された情報と入力信号の相関値を計算する複数の相関値計算機301〜300+Nを備える相関値計算部を示している。
【００３８】
また、符号400は、相関値計算部300内の複数の相関値計算機301〜300+Nから各々出力される相関値を、予め設定した観察区間において序列化し、序列化された相関値に応じて複数の相関値計算機301〜300+Nを選択的に動作させる序列判定部を示している。
【００３９】
このように構成された本発明にかかる第2の実施の形態においては、まず、図2のミニスロット選択部10から出力された値がラインL2〜L2Nを介して相関値計算部300内の各々の相関値計算機301〜300+Nに入力される。
【００４０】
次に、各々の相関値計算機301〜300+Nは、各々入力された値（ラインL2〜L2N）と入力信号（L0）の相関値を計算して、図2における決定変数選択部30及び序列判定部400に入力する。
【００４１】
これによって、序列判定部400は、予め設定された相関値観察区間Tよりさらに小さく設定された観察区間T1において、入力された相関値を序列化し、その結果、上位から所定の個数(I個)に該当する相関値を出力する相関値計算機のみを観察区間Tにおいて駆動させ、それ以外の相関値計算機は停止させる。
【００４２】
例えば、相関値計算機301〜300+Nが、#1、#2、#3、#4、#5 のように5個であり、前記観察区間T1において相関値を序列化した結果が #2、#3、#1、#5、#4 の順であり、駆動させる相関値計算機が3個(I=3)である場合、序列判定部400は、5個の相関値計算機301〜305の中の #2、#3、#1 に対応する相関値計算機302、303、301のみを観察区間Tにおいて駆動させ、残りの #5、#4 に対応する相関値計算機305、304は停止させることとなる。
【００４３】
このように、各々の相関値計算機301〜300+Nの出力信号を観察区間T1において序列化した後、予め決められた個数の相関値計算機のみを駆動させ、決定変数選択に影響を及ぼさない相関値計算機を停止させることによって、電力消費を低減することができる。
【００４４】
【発明の効果】
上記したように、本発明にかかる「決定変数計算装置」によれば、所定の閾値または序列化によって複数の相関値計算機のうち、決定変数選択に影響を及ぼさない相関値計算機は駆動させなくとも良いので、従来のように全観察区間において全ての相関値計算機(決定変数計算機)を駆動させる場合と比較して消費電力を低減できる効果を奏する。
【００４５】
また、決定変数選択回路は、従来のように全ての相関値を検索して決定変数を選択しなくとも、最小限の相関値の検索のみで決定変数を決定することができることから、高速のセル探索が可能となる利点もある。
【図面の簡単な説明】
【図１】  従来の移動通信システムにおけるCPM方式を適用した場合の高速セル探索過程を示した図である。
【図２】  従来の移動通信システムにおけるCPM受信器の構成を示すブロック図である。
【図３】  本発明にかかる移動通信システムにおける決定変数計算装置の第1の実施の形態を示すブロック図である。
【図４】  本発明にかかる移動通信システムにおける決定変数計算装置の第2の実施の形態を示すブロック図である。
【符号の説明】
１００、３００    相関値制御部
２００            相関回路制御部
４００            序列判定部
【図１】
0003653613.tif 000003
【図２】
0003653613.tif 000004
【図３】
0003653613.tif 000005
【図４】
0003653613.tif 000006